(57)【要約】  本開示は、パラソルを提供する。前記パラソルは、傘の軸と、前記傘の軸の一端に設置された傘体と、前記傘の軸の他端に設置された傘の柄と、太陽電池モジュールと、前記傘の柄に設置され且つ前記太陽電池モジュールに接続される電流出力手段と、前記傘体に設置された第１の接続手段と、前記太陽電池モジュールに設置された第２の接続手段とを含む。前記太陽電池モジュールは、前記第１の接続手段と前記第２の接続手段の間の着脱可能な配合により着脱可能に前記傘体に設置されている。
2020507024.tif 000002
【特許請求の範囲】
【請求項１】
パラソルであって、
傘の軸と、
前記傘の軸の一端に設置された傘体と、
前記傘の軸の他端に設置された傘の柄と、
太陽電池モジュールと、
前記傘の柄に設置され且つ前記太陽電池モジュールに接続される電流出力手段と、
前記傘体に設置された第１の接続手段と、
前記太陽電池モジュールに設置された第２の接続手段とを含み、
前記太陽電池モジュールは、前記第１の接続手段と前記第２の接続手段の間の着脱可能な配合により着脱可能に前記傘体に設置されていることを特徴とするパラソル。
【請求項２】
前記第１の接続手段及び前記第２の接続手段は、それぞれ接続陰極と、接続陽極とを含み、
前記第１の接続手段の接続陽極は、前記第２の接続手段の接続陰極に挿入可能であり、
前記第２の接続手段の接続陽極は、前記第１の接続手段の接続陰極に挿入可能であることを特徴とする請求項１に記載のパラソル。
【請求項３】
前記接続陰極は、穴形状構造であり、前記接続陽極は、突起構造であることを特徴とする請求項２に記載のパラソル。
【請求項４】
前記太陽電池モジュールは、中央接続部と、太陽電池ユニットと、前記太陽電池ユニットに設置された第３の接続手段と、前記中央接続部に設置された第４の接続手段とを含み、
前記太陽電池ユニットは、前記第３の接続手段と前記第４の接続手段の間の着脱可能な配合により着脱可能に前記中央接続部に接続され、
前記第２の接続手段は、前記中央接続部に設置され、
前記中央接続部は、前記第１の接続手段と前記第２の接続手段の間の着脱可能な配合により着脱可能に前記傘体に接続されることを特徴とする請求項２に記載のパラソル。
【請求項５】
前記第３の接続手段及び前記第４の接続手段は、それぞれ接続陰極と、接続陽極とを含み、
前記第３の接続手段の接続陽極は、前記第４の接続手段の接続陰極に挿入可能であり、
前記第４の接続手段の接続陽極は、前記第３の接続手段の接続陰極に挿入可能であることを特徴とする請求項４に記載のパラソル。
【請求項６】
前記第３の接続手段及び前記第４の接続手段の接続陰極は、穴形状構造であり、前記第３の接続手段及び前記第４の接続手段における接続陽極は、突起構造であることを特徴とする請求項５に記載のパラソル。
【請求項７】
前記太陽電池ユニットは、複数群の単電池と、各群の単電池に設置された第５の接続手段とを含み、各隣接する２群の前記単電池は、前記第５の接続手段間の着脱可能な配合により着脱可能に接続されることを特徴とする請求項４に記載のパラソル。
【請求項８】
各前記第５の接続手段は、接続陰極と、接続陽極とを含み、各前記第５の接続手段における接続陰極は、穴形状構造であり、各前記第５の接続手段における接続陽極は、突起構造であることを特徴とする請求項７に記載のパラソル。
【請求項９】
前記太陽電池モジュールは、中央接続部と、基板と、前記基板に設置された太陽電池ユニットと、前記中央接続部に設置された第４の接続手段と、前記基板に設置された第６の接続手段とを含み、
前記基板は、前記第６の接続手段と前記第４の接続手段の間の着脱可能な配合により着脱可能に前記中央接続部に接続され、
前記第２の接続手段は、前記中央接続部に設置され、
前記中央接続部は、前記第１の接続手段と前記第２の接続手段の間の着脱可能な配合により着脱可能に前記傘体に接続されることを特徴とする請求項２に記載のパラソル。
【請求項１０】
前記第４の接続手段及び前記第６の接続手段は、それぞれ接続陰極と、接続陽極とを含み、
前記第４の接続手段の接続陽極は、前記第６の接続手段の接続陰極に挿入可能であり、
前記第６の接続手段の接続陽極は、前記第４の接続手段の接続陰極に挿入可能であることを特徴とする請求項９に記載のパラソル。
【請求項１１】
前記第４の接続手段及び前記第６の接続手段の接続陰極は、穴形状構造であり、前記第４の接続手段及び前記第６の接続手段における接続陽極は、突起構造であることを特徴とする請求項１０に記載のパラソル。
【請求項１２】
前記太陽電池モジュールは、前記太陽電池ユニットに設置された第７の接続手段と、前記基板に設置された第８の接続手段とを更に含み、
前記太陽電池ユニットは、前記第７の接続手段と前記第８の接続手段の間の着脱可能な配合により着脱可能に前記基板に設置されていることを特徴とする請求項９に記載のパラソル。
【請求項１３】
前記第７の接続手段及び前記第８の接続手段は、それぞれ接続陰極と、接続陽極とを含み、
前記第７の接続手段の接続陽極は、前記第８の接続手段の接続陰極に挿入可能であり、
前記第８の接続手段の接続陽極は、前記第７の接続手段の接続陰極に挿入可能であることを特徴とする請求項１２に記載のパラソル。
【請求項１４】
前記第７の接続手段及び前記第８の接続手段の前記接続陰極は、穴形状構造であり、前記第７の接続手段及び前記第８の接続手段における前記接続陽極は、突起構造であることを特徴とする請求項１３に記載のパラソル。
【請求項１５】
前記太陽電池モジュールは、複数の前記太陽電池ユニットを含み、前記複数の太陽電池ユニットは、前記中央接続部を取り囲んで前記基板に設置されていることを特徴とする請求項９に記載のパラソル。
【請求項１６】
各前記太陽電池ユニットの対向する両側の縁に、それぞれ係合リングと、係合柱とが設置されており、
各隣接する二つの前記太陽電池ユニットのうち、一方の前記太陽電池ユニットにおける係合柱は、回動しながら他方の前記太陽電池ユニットにおける係合リングに係合されることを特徴とする請求項１５に記載のパラソル。
【請求項１７】
蓄電池を更に含み、
前記蓄電池は、前記傘の柄内に設置されており、前記蓄電池は、前記太陽電池モジュールに接続されることを特徴とする請求項１に記載のパラソル。
【請求項１８】
前記傘の柄内に、電圧レギュレータ回路モジュールが設置されており、前記電圧レギュレータ回路モジュールは、前記太陽電池モジュールに接続されることを特徴とする請求項１７に記載のパラソル。
【請求項１９】
前記太陽電池モジュールは、導線を介して、それぞれ前記蓄電池、前記電流出力手段及び前記電圧レギュレータ回路モジュールに接続され、
前記傘の軸は中空構造であり、前記導線は、前記中空構造に設置されていることを特徴とする請求項１７に記載のパラソル。
【請求項２０】
前記電流出力手段は、前記傘の柄に設置されたソケット構造であることを特徴とする請求項１に記載のパラソル。
【発明の詳細な説明】
【技術分野】
【０００１】
本開示は、太陽電池技術分野に関し、特にパラソルに関する。
【０００２】
〔関連する出願の参照〕
本願は、２０１７年１２月１９日に出願された中国実用新案出願第２０１７２１７８２１４６.１号の優先権を主張するものであり、当該出願の内容は全て本願に取り込まれる。
【背景技術】
【０００３】
生活品質に対する人々の要求が高くなるにつれて、パラソルは、生活の中でますます重要な役割を果たしており、例えば、アウトドアカフェ、果物の屋台、砂浜及び個人的な使用等では、いずれもパラソルを必要とする。但し、パラソルは、一般的に日よけ及び風防の機能のみを有し、機能が単一で、日増しに多様化されている人々の要望に応えるのが難しい。
【発明の概要】
【０００４】
本開示は、パラソルを提供する。前記パラソルは、傘の軸と、前記傘の軸の一端に設置された傘体と、前記傘の軸の他端に設置された傘の柄と、太陽電池モジュールと、前記傘の柄に設置され且つ前記太陽電池モジュールに接続される電流出力手段と、前記傘体に設置された第１の接続手段と、前記太陽電池モジュールに設置された第２の接続手段とを含み、前記太陽電池モジュールは、前記第１の接続手段と前記第２の接続手段の間の着脱可能な配合により着脱可能に前記傘体に設置されている。
【０００５】
上記のようなパラソルにおいて、選択可能に、前記第１の接続手段及び前記第２の接続手段は、それぞれ接続陰極と、接続陽極とを含み、前記第１の接続手段の接続陽極は、前記第２の接続手段の接続陰極に挿入可能であり、前記第２の接続手段の接続陽極は、前記第１の接続手段の接続陰極に挿入可能である。
【０００６】
上記のようなパラソルにおいて、選択可能に、前記接続陰極は、穴形状構造であり、前記接続陽極は、突起構造である。
【０００７】
上記のようなパラソルにおいて、選択可能に、前記太陽電池モジュールは、中央接続部と、太陽電池ユニットと、前記太陽電池ユニットに設置された第３の接続手段と、前記中央接続部に設置された第４の接続手段とを含む。前記太陽電池ユニットは、前記第３の接続手段と前記第４の接続手段の間の着脱可能な配合により着脱可能に前記中央接続部に接続される。前記第２の接続手段は、前記中央接続部に設置され、前記中央接続部は、前記第１の接続手段と前記第２の接続手段の間の着脱可能な配合により着脱可能に前記傘体に接続される。
【０００８】
上記のようなパラソルにおいて、選択可能に、前記第３の接続手段及び前記第４の接続手段は、それぞれ接続陰極と、接続陽極とを含む。前記第３の接続手段の接続陽極は、前記第４の接続手段の接続陰極に挿入可能であり、前記第４の接続手段の接続陽極は、前記第３の接続手段の接続陰極に挿入可能である。
【０００９】
上記のようなパラソルにおいて、選択可能に、前記第３の接続手段及び前記第４の接続手段の接続陰極は、穴形状構造であり、前記第３の接続手段及び前記第４の接続手段における接続陽極は、突起構造である。
【００１０】
上記のようなパラソルにおいて、選択可能に、前記太陽電池ユニットは、複数群の単電池と、各群の単電池に設置された第５の接続手段とを含み、各隣接する２群の前記単電池は、前記第５の接続手段間の着脱可能な配合により着脱可能に接続される。
【００１１】
上記のようなパラソルにおいて、選択可能に、各前記第５の接続手段は、接続陰極と、接続陽極とを含み、各前記第５の接続手段における接続陰極は、穴形状構造であり、各前記第５の接続手段における接続陽極は、突起構造である。
【００１２】
上記のようなパラソルにおいて、選択可能に、前記太陽電池モジュールは、中央接続部と、基板と、前記基板に設置された太陽電池ユニットと、前記中央接続部に設置された第４の接続手段と、前記基板に設置された第６の接続手段とを含み、前記基板は、前記第６の接続手段と前記第４の接続手段の間の着脱可能な配合により着脱可能に前記中央接続部に接続され、前記第２の接続手段は、前記中央接続部に設置され、前記中央接続部は、前記第１の接続手段と前記第２の接続手段の間の着脱可能な配合により着脱可能に前記傘体に接続される。
【００１３】
上記のようなパラソルにおいて、選択可能に、前記第４の接続手段及び前記第６の接続手段は、それぞれ接続陰極と、接続陽極とを含み、前記第４の接続手段の接続陽極は、前記第６の接続手段の接続陰極に挿入可能であり、前記第６の接続手段の接続陽極は、前記第４の接続手段の接続陰極に挿入可能である。
【００１４】
上記のようなパラソルにおいて、選択可能に、前記第４の接続手段及び前記第６の接続手段の接続陰極は、穴形状構造であり、前記第４の接続手段及び前記第６の接続手段における接続陽極は、突起構造である。
【００１５】
上記のようなパラソルにおいて、選択可能に、前記太陽電池モジュールは、前記太陽電池ユニットに設置された第７の接続手段と、前記基板に設置された第８の接続手段とを更に含み、前記太陽電池ユニットは、前記第７の接続手段と前記第８の接続手段の間の着脱可能な配合により着脱可能に前記基板に設置されている。
【００１６】
上記のようなパラソルにおいて、選択可能に、前記第７の接続手段及び前記第８の接続手段は、それぞれ接続陰極と、接続陽極とを含み、前記第７の接続手段の接続陽極は、前記第８の接続手段の接続陰極に挿入可能であり、前記第８の接続手段の接続陽極は、前記第７の接続手段の接続陰極に挿入可能である。
【００１７】
上記のようなパラソルにおいて、選択可能に、前記第７の接続手段及び前記第８の接続手段の前記接続陰極は、穴形状構造であり、前記第７の接続手段及び前記第８の接続手段における前記接続陽極は、突起構造である。
【００１８】
上記のようなパラソルにおいて、選択可能に、前記太陽電池モジュールは、複数の前記太陽電池ユニットを含み、前記複数の太陽電池ユニットは、前記中央接続部を取り囲んで前記基板に設置されている。
【００１９】
上記のようなパラソルにおいて、選択可能に、各前記太陽電池ユニットの対向する両側の縁に、それぞれ係合リングと、係合柱とが設置されており、各隣接する二つの前記太陽電池ユニットのうち、一方の前記太陽電池ユニットにおける係合柱は、回動しながら他方の前記太陽電池ユニットにおける係合リングに係合される。
【００２０】
上記のようなパラソルにおいて、選択可能に、前記パラソルは、蓄電池を更に含む。前記蓄電池は、前記傘の柄内に設置されており、前記蓄電池は、前記太陽電池モジュールに接続される。
【００２１】
上記のようなパラソルにおいて、選択可能に、前記傘の柄内に、電圧レギュレータ回路モジュールが設置されており、前記電圧レギュレータ回路モジュールは、前記太陽電池モジュールに接続される。
【００２２】
上記のようなパラソルにおいて、選択可能に、前記太陽電池モジュールは、導線を介して、それぞれ前記蓄電池、前記電流出力手段及び前記電圧レギュレータ回路モジュールに接続され、前記傘の軸は中空構造であり、前記導線は、前記中空構造に設置されている。
【００２３】
上記のようなパラソルにおいて、選択可能に、前記電流出力手段は、前記傘の柄に設置されたソケット構造である。
【図面の簡単な説明】
【００２４】
【図１】本開示の実施例が提供するパラソルの構成模式図である。
【図２】本開示の実施例が提供するパラソルの分解図である。
【図３】太陽電池ユニットの構成模式図である。
【図４】接続手段の構成模式図である。
【図５】二つの接続手段が配合する模式図である。
【図６】係合リングの構成模式図である。
【図７】係合柱の構成模式図である。
【発明を実施するための形態】
【００２５】
以下、本開示の実施例を詳細に説明し、前記実施例の例は、図面に示される。その中で、終始一貫して、同一又は類似の参照番号は、同一又は類似の素子或いは同一又は類似の機能を有する素子を表す。以下、図面を参考しながら説明される実施例は、例示的なものであり、ただ本開示を解釈するために用いられ、本開示に対する制限として解釈するべきではない。
【００２６】
図１乃至図５を一緒に参照すると、本開示の実施例は、パラソルを提供する。前記パラソルは、傘体１００と、傘の軸２００と、傘の柄３００と、接続手段５００と、太陽電池モジュール４００とを含む。傘の軸２００の両端は、それぞれ傘体１００及び傘の柄３００に接続され、太陽電池モジュール４００は、接続手段５００を介して着脱可能に傘体１００に設置される。
【００２７】
一実施例において、接続手段５００は、接続陰極と、接続陽極とを含み、接続陰極は、穴形状構造５２０であり、接続陽極は、もう一つの接続手段の穴形状構造内に挿入可能な突起構造５１０(例えば、図５に示す如く)である。傘の柄３００に、電流出力手段３０２が設置されており、電流出力手段は、太陽電池モジュール４００に電気的に接続される。一実施例において、電流出力手段３０２は、傘の柄３００に設置されたソケット構造であることが可能であり、当該ソケット構造は、傘の柄３００及傘の軸２００内に貫通設置された導線３０１を介して接続手段５００に接続され、更に太陽電池モジュール４００に電気的に接続されることが可能である。
【００２８】
明るい日差しが降り注ぐ晴れた日には、パラソルを広げた後、太陽電池モジュール４００を、接続手段５００を介して傘体１００に装着して、太陽エネルギーを電気エネルギーに変換することを実現し、電流出力手段により電気設備に電力を供給することが可能であり、従って、外部電源を導入せずに、電気設備に対する電力供給を実現できる。夜又は曇りや雨の天気、或いは太陽電池モジュール４００が効果的な光電変換を行うことができない弱光環境下では、接続手段５００を分解することにより太陽電池モジュール４００及び傘体１００の分離を実現でき、従って、太陽電池モジュール４００が悪天候の影響を受けて、使用寿命が短縮されることを防止できる。なお、太陽電池モジュール４００が着脱不可能に傘体１００に固定設置されている場合、パラソルの使用後、傘体１００における太陽電池モジュール４００の支持を受けるため、傘体１００を折り畳んで保存することが難しくなり、使用及び管理するのに不便である。その反面、本開示の実施例が提供するパラソルは、使用されていない状態で、太陽電池モジュール４００を傘体１００から取り外すことができ、傘体１００の収めに便利であるとともに、太陽電池モジュール４００の維持保守の便宜を図る。
【００２９】
具体的には、図４及び図５を参照すると、接続手段５００ａ（第１の接続手段とも言える）は、傘体１００に固定設置されていることが可能であり、当該接続手段５００ａと配合するもう一つの接続手段５００ｂ（第２の接続手段とも言える）は、太陽電池モジュール４００の傘体１００と配合する側に固定的に設置されていることが可能である。第１の接続手段５００ａと、第２の接続手段５００ｂとは、相互に挿入接続されることが可能であり、従って、傘体１００及び太陽電池モジュール４００を、二つの接続手段５００を介して相互に挿入接続させて電気的接続を実現できる。
【００３０】
具体的には、太陽電池モジュール４００の傘体１００への固定装着を容易にするために、太陽電池モジュール４００は、中央接続部４２０と、太陽電池ユニット４１０とを含み、太陽電池ユニット４１０は、接続手段５００間の着脱可能な配合（例えば、太陽電池ユニット４１０に設置された第３の接続手段と中央接続部４２０に設置された第４の接続手段の間の着脱可能な配合）により中央接続部４２０に着脱可能に接続され、中央接続部４２０は、接続手段５００（例えば、第２の接続手段）を介して傘体１００に接続される。
【００３１】
中央接続部４２０の傘体１００と配合する面に、接続手段５００、例えば、第２の接続手段５００ｂが設置されて、傘体１００における接続手段５００、例えば、第１の接続手段５００ａと挿入接続配合することが可能であり、中央接続部４２０の側面にも、接続手段５００（例えば、第４の接続手段）が設置されて、太陽電池ユニット４１０における接続手段５００（例えば、第３の接続手段）に接続されることが可能である。
【００３２】
更に、図３に示すように、太陽電池ユニット４１０は、複数群の単電池を含むことができ、複数群の単電池は、接続手段５００を介して接続され、各々の単電池には、いずれも接続手段５００（第５の接続手段とも言える）が設置されることが可能である。これにより、傘体１００の大きさによって一定の数量の単電池を、接続手段５００（即ち、第５の接続手段）を介して直列に接続でき、従って、太陽電池ユニット４１０が、異なる寸法の傘体１００に対する適用性を満たすようにする。
【００３３】
更に、図２及び図３を参照すると、太陽電池モジュール４００は、基板４３０を更に含むことができる。基板４３０は、接続手段５００間の着脱可能な配合（例えば、前記基板４３０に設置された第６の接続手段と中央接続部４２０に設置された第４の接続手段の間の着脱可能な配合）により中央接続部４２０に着脱可能に接続される。太陽電池モジュール４００が基板４３０を含む場合、上記の太陽電池ユニット４１０に設置された第３の接続手段を省略でき、或いは、上記の太陽電池ユニット４１０に設置された第３の接続手段と、前記基板４３０に設置された第６の接続手段とは、同一の接続手段であっても可能である。太陽電池ユニット４１０は、接続手段５００間の着脱可能な配合（例えば、太陽電池ユニット４１０に設置された第７の接続手段と基板４３０に設置された第８の接続手段の間の着脱可能な配合）により着脱可能に基板４３０に設置されている。
【００３４】
中央接続部４２０及び基板４３０は、いずれも中空構造であることが可能であり、従って、回路を当該中空構造内に配置して、回路を保護できる。
【００３５】
具体的には、太陽電池ユニット４１０の光電変換効率を向上させるとともに、十分な電量の提供を保証するために、太陽電池ユニット４１０の数量は、二つ又は二つ以上であることが可能である。明らかに、太陽電池ユニット４１０は、他の数量であっても良く、具体的な数量は、傘体１００の寸法及び電気設備の消費電力によって設定することが可能であり、本実施例は、これに対して限定を行わない。
【００３６】
更に、図３、図６及び図７を参照すると、太陽電池ユニット４１０の対向する両側の縁に、それぞれ係合リング７００及び係合柱６００が設置されており、一つの太陽電池ユニット４１０における係合柱６００は、隣接する太陽電池ユニット４１０における係合リング７００内に係合され、これにより、各太陽電池ユニット４１０が接ぎ合わせられる時、比較的良い形態になるよう保証して、傘体１００の配合を容易にする。なお、係合柱６００が係合リング７００に貫入し、係合柱６００と係合リング７００の間の配合面は、柱面であるため、係合の過程において、太陽電池ユニット４１０に対する回動調整を行うことができ、換言すれば、係合柱６００は、回動可能に係合リング７００内に設置され、太陽電池ユニット４１０と傘体１００との配合状態を保証できる。
【００３７】
本開示の実施例が提供するパラソルにおいて、太陽電池モジュール４００が正常的な光電変換を行うことのできない場合に外部への電力供給を実現するために、当該パラソルは、蓄電池３０４を更に含むことができる。当該蓄電池３０４は、傘の柄３００内に設置されており、蓄電池３０４は、太陽電池モジュール４００に接続される。蓄電池は、太陽電池モジュール４００の発電の余剰電気エネルギーを貯蓄でき、従って、電気設備の様々な気候環境下での電気使用要求を満たすことができる。
【００３８】
説明すべきことは、太陽電池モジュール４００の光電変換後の電流を安定的な直流電流に変換して、電気設備の正常作業を保証するために、傘の柄３００に、電圧レギュレータ回路モジュール３０６が設置されることが可能であり、当該電圧レギュレータ回路モジュール３０６は、太陽電池モジュール４００に接続される。
【００３９】
太陽電池モジュール４００が導線３０１を介してそれぞれ蓄電池３０４、電流出力手段３０２、及び電圧レギュレータ回路モジュール３０６に接続できることは理解できる。導線に対する保護を行うために、傘の軸２００は、中空構造であることが可能であり、導線は、中空構造内の設置されることが可能である。
【００４０】
説明すべきことは、第１の接続手段、第２の接続手段、第３の接続手段、第４の接続手段、第５の接続手段、第６の接続手段、第７の接続手段、及び第８の接続手段は、同一の構造及び接続方式を有することが可能であり、例えば、図４及び図５に示す構造及び接続方式を用いることが可能である。
【００４１】
本開示の実施例が提供するパラソルは、太陽電池モジュールを設置することにより、パラソルの電力供給機能を実現する同時に、当該パラソルを使用しない場合、太陽電池モジュールを傘体から取り外すことができ、傘体の収めに便利であるとともに、太陽電池モジュールの維持保守の便宜を図る。
【００４２】
以上、図面によって示された実施例は、本開示の構造、特徴及び作用効果を詳細に説明したが、上記の内容は、ただ本開示の好ましい実施例であり、本開示は、図面に示すもので実施範囲を限定せず、本開示の構想に従ってなされた変更又は均等変化に修正された等価実施例が、依然として明細書及び図面に含まれる精神を超えないものであるなら、全部本開示の保護範囲に属すべきである。
【図１】
2020507024.tif 000003
【図２】
2020507024.tif 000004
【図３】
2020507024.tif 000005
【図４】
2020507024.tif 000006
【図５】
2020507024.tif 000007
【図６】
2020507024.tif 000008
【図７】
2020507024.tif 000009
【国際調査報告】
2020507024.tif 000010
2020507024.tif 000011
2020507024.tif 000012
2020507024.tif 000013